(57)【要約】      （修正有）【課題】イアリングの不都合を防止し、しかも眼鏡の軽量化にともなって生じやすい重心のアンバランスを補正して眼鏡を使いやすくした従来にない新たな眼鏡アクセサリを提供する。【解決手段】眼鏡の重心をレンズから後方へと移動させて眼鏡を顔にかけたときの眼鏡全体のバランスを図る錘としての機能とともに装飾品としての機能を有するように眼鏡のつる後方に取り付けられた眼鏡アクセサリ。眼鏡アクセサリは、眼鏡をかけたときに耳後方で垂れて、揺れるような柔らかい装飾効果を与えるために、てぐすやチェーン等の紐体によって宝飾品を連結し、眼鏡の耳掛け部に取り付けられるようにしている。【選択図】  図１
2005037614.tif 000002
【特許請求の範囲】
【請求項１】
眼鏡の重心をレンズからつる後方へと移動させる錘として作用しつつ装飾品としての機能を有するように眼鏡の耳掛け部に取り付け可能な眼鏡アクセサリ。
【請求項２】
眼鏡の耳掛け部に形成された孔に掛けて取り付けるようにした請求項１に記載の眼鏡アクセサリ。
【請求項３】
耳掛け部を把持して取り付けるようにした請求項１に記載の眼鏡アクセサリ。
【請求項４】
紐体が設けられ、当該紐体を耳掛け部に絞って又は掛けて取り付けられるようにした請求項１に記載の眼鏡アクセサリ。
【請求項５】
眼鏡を顔にかけたときに前記アクセサリが耳後方で垂れるようにした請求項１に記載の眼鏡アクセサリ。
【請求項６】
てぐす糸、チェーン等の連結体に宝飾品が連ねられてアクセサリが形成されている請求項１に記載の眼鏡アクセサリ。
【請求項７】
電池及び発光ダイオード等の発光体が設けられている請求項１に記載の眼鏡アクセサリ。
【請求項８】
発光ダイオード等の発光体と前記発光体に通電するための端子が設けられ、前記眼鏡の耳掛け部に設けられた接続端子と着脱可能に接続されるようにした請求項１に記載の眼鏡アクセサリ。
【請求項９】
眼鏡アクセサリを眼鏡の耳掛け部に取り付け可能とした眼鏡。
【請求項１０】
前記眼鏡アクセサリを掛けるための孔が耳掛け部に形成されている請求項９に記載の眼鏡。
【請求項１１】
前記眼鏡の耳掛け部に電池を収納するための箇所と、前記電池からの電力を供給するための接続端子とを有し、前記アクセサリに設けられた発光ダイオード等の発光体への通電を可能とした請求項９に記載の眼鏡。
【請求項１２】
請求項１乃至８のいずれかに記載の眼鏡アクセサリが取り付けられた眼鏡。
【請求項１３】
眼鏡アクセサリを眼鏡の耳掛け部に取り付け可能に加工する眼鏡耳掛け部の加工方法。
【請求項１４】
耳掛け部に孔を形成する請求項１３に記載の眼鏡耳掛け部の加工方法。
【発明の詳細な説明】
【０００１】
【発明の属する技術分野】
本発明はイアリングに似た形態のファッション性を備えた新たなアクセサリ及びそれを有した眼鏡に関する。特に本発明は、眼鏡の装飾的効果を高めるとともに眼鏡のバランスを確保するための眼鏡アクセサリ及びそのアクセサリを使用した眼鏡に関する。
【０００２】
【従来の技術】
ファッション性を高める手段としてのイアリングはよく見かけるところである。イアリングは、耳たぶに予め設けた孔に掛けて取り付けるほかに、孔を開けることへの抵抗感を持つ人やイアリングを簡易につけたい希望する人のために、耳たぶの前後を挟みこんで取り付ける方法がよく知られている。
【０００３】
しかし、孔に通して取り付ける方法では、金属アレルギーを起こしたり、比較的重いイアリングをつけた場合に耳が垂れてファッション性を損ねたり、長期間使用した場合に耳たぶに形成した孔が広がり炎症を起こしたりする問題がある。一方、耳たぶに挟んで取り付ける方法でも、金属アレルギーを起こす危険は残り、しかも簡単に外れでイアリングを紛失しやすく、これを避けようとすると、なるべく強く挟み込んで取り付ける必要があるために、違和感や痛みを覚えたり、場合によっては炎症を起こしたりする場合も少なくなかった。
【０００４】
そこで発明者は、イアリングに似た形態であってしかもイアリングに代わる新たなアクセサリがないかと模索した。
【０００５】
一方、新素材の開発により、ナイロン系樹脂やチタンといったより軽量な素材を使用したつるや屈折率が高く色収差の少ないプラスチック等からなる軽量なレンズを使用することで、眼鏡が全体としてより軽量化されてきている。
【０００６】
しかし、眼鏡全体をより軽量とするにつれて、眼鏡の前方のレンズが相対的に重くなり、眼鏡の重心が前に移動し、眼鏡を顔にかけたときに不安定とならざるをえないという状況が生まれている。
【０００７】
さらに、眼鏡を顔から外したときに眼鏡を紛失しないように、つるに摺動可能にヒモ掛けするようにしたチェーンが知られている。そしてそのチェーンに装飾を加えることで、眼鏡とチェーンとが全体として華やかな印象となるようにしたものも知られている。しかし、このようなチェーンは、その目的、機能が眼鏡の紛失を防止することにあり、顔にかけたときの眼鏡の全体のバランスを考慮したものではなく、むしろ眼鏡全体としての重心のバランスを欠き、重くてその取り扱いも煩わしいために、一部の者に利用されているにすぎない。
【０００８】
【発明が解決しようとする課題】
本発明者は上記問題について熟考を重ねた結果、眼鏡のつる、特につるの先の耳掛け部に着目した。そして、その部分を利用することで、イアリングと同様のファッション性を備えながらもイアリングの利用において生じる様々な問題を解決できる全く新規で斬新的なアクセサリを発明するに至ったのである。さらにこのアクセサリは、ファッション性を備えながらも、特に今日の眼鏡の軽量化にともなって生じやすい重心のアンバランスを補正して眼鏡を使いやすくすることも可能とするものである。
【０００９】
【課題を解決するための手段】
本発明によると、眼鏡の重心をレンズからつる後方へと移動させる錘として作用しつつ装飾品としての機能を有するように眼鏡の耳掛け部に取り付け可能な眼鏡アクセサリを提供する。
【００１０】
眼鏡アクセサリを取り付けるための具体的な形態として、眼鏡の耳掛け部には孔が形成されてその孔に掛けて取り付け可能とし、あるいは孔に掛けるのではなく、例えばクリップ等の把持部を設けて、耳掛け部そのものをその把持部によって把持可能とするほか、眼鏡アクセサリに設けられた紐やワイヤー、チェーンといった紐体によって耳掛け部に紐掛けし、あるいはその紐体を絞ることで耳掛け部に係止させて、取り付け可能としてもよい。
【００１１】
その眼鏡アクセサリは、眼鏡をかけたときに耳後方で垂れるようにすることでイアリングと同様のファッション性を発揮する。
【００１２】
そして、垂れて揺れるような柔らかい装飾効果を与えるために、てぐす糸やチェーン等の連結体に宝飾品が連ねられてアクセサリが形成されるようにする。
【００１３】
より特徴的には、電池及び発光ダイオード等の発光体が設けられることで、暗いところでも視認しやすい装飾効果をもたらすことができる。
【００１４】
別な態様としては、アクセサリが眼鏡から電力を受けるように、アクセサリに発光ダイオード等の発光体と前記発光体に通電するための端子が設けられ、前記眼鏡の耳掛け部に設けられた接続端子と着脱可能に接続されるようにしたことを特徴とする。
【００１５】
更に本発明は、眼鏡の重心をレンズから反対後方に移動させて眼鏡を顔にかけたときの眼鏡全体のバランスを図る錘として作用するとともに装飾品としての機能を有する眼鏡アクセサリを眼鏡の耳掛け部に取り付け可能としたことを特徴としたな眼鏡本体である。
【００１６】
その眼鏡アクセサリを取り付けるために、眼鏡アクセサリを掛けるための孔が耳掛け部に形成されており、その孔にフックを掛けあるいは紐体を紐通しして眼鏡アクセサリを掛けることが可能となる。
【００１７】
眼鏡本体に眼鏡アクセサリへの電力供給するための手段として、眼鏡の耳掛け部に電池を収納するための箇所と、その電池からの電力を供給するための接続端子とを有し、アクセサリに設けられた発光ダイオード等の発光体へと通電可能とする。
【００１８】
更に本発明は、上記眼鏡アクセサリが実際に取り付けられた眼鏡をも提供するものである。
【００１９】
加えて、眼鏡や耳掛け部を製作した後に加工して眼鏡アクセサリを取り付けるための手段を眼鏡、特に耳掛け部に設けるようにしてもよい。より具体的には、出来上がった耳掛け部に孔を形成するものである。
【００２０】
【発明の実施の形態】
図を参照しながら本発明を説明する。図１は本発明による眼鏡アクセサリ１０．が取り付けされた眼鏡１の全体斜視図、図２は眼鏡のつる２の後方に取り付けられた眼鏡アクセサリ１０の拡大図を示している。そして、図３は、眼鏡アクセサリが付いた状態で眼鏡を掛けたときの眼鏡アクセサリ１０の状態を示す。
【００２１】
図１及び図２を参照すると、眼鏡１のつる２の先にある耳掛け部４には孔３が形成されている。一方、眼鏡アクセサリ１０には、その孔３に掛けることができるフック部１１が設けられている。フック部１１の一端には閉じた輪１１ａが形成されている。輪１１ａから延びた線材１１ｂは一本の釣り針状に湾曲して延びて部分的に近接した部分１１ｃとそこからわずかに湾曲して終わる先端部分１１ｄを有している。フック部１１は、その先端１１ｄから孔３に通して、線材１１ｂをその孔３に掛けるようにして取り付けることができる。
【００２２】
フック部１１、特に線材１１ｂは、ばね性を有するようした弾性変形可能な素材からなり、例えば、全体がプラスチックを一体成形したり、金属や合金等からつくることができる。
【００２３】
フック部１１の近接部分１１ｃの隙間は眼鏡１の孔３の周囲の肉厚よりも小さく、一旦孔３に掛かったフック部１１は容易に外れないようになっている。
【００２４】
フック部の輪１１ａには、細いチェーン１２と大小のビーズ等１３とが連なって全体として眼鏡アクセサリ１０を形成している。
【００２５】
図３に示した眼鏡を顔に掛けた状態では、耳掛け部４が耳の後方を回って丁度耳たぶの裏部分にその先端が来るようになっており、その先端から垂れて揺れる眼鏡アクセサリ１０の宝飾品１３は、顔前方から見るとまるでイアリングをしたかのような感じを周囲に与えることができる。尚、本例のように左右の両耳掛け部に眼鏡アクセサリを取り付けるようにしてもよく、あるいは一方の耳掛け部に眼鏡アクセサリを取り付けるようにしてもよい。
【００２６】
また、アクセサリとして飾られる宝飾品は本例で示したもの限定するものではなく、ビーズや硝子、ダイアモンドの他、ヒーリング効果のありパワースートンと呼ばれているトルマリン等、多様な形態や材料からなる宝飾品を眼鏡アクセサリの部品として取り付けてもよい。さらに、宝飾品の代わりとしてあるいは宝飾品とともに、香りを発生する香水などの芳香体を眼鏡アクセサリの部品としてもよい。直接肌に付けた香水などは、汗などによってその効果が減少するが、本アクセサリでは芳香体を直接肌に触れないようにできるために、その芳香効果を長時間保つことができる。アロマオイル等のリラックスできるような芳香体を使用した場合には、眼鏡アクセサリは鼻と近接しているために、よりリラクゼーション効果を発揮することも可能となる。このように日々の体調や気分等により、眼鏡アクセサリを使い分けることも容易となる。
【００２７】
フック部１１も、先に示した釣り針状の形状の他、眼鏡のつる２又はより効果的に重心を後方に移動させるために好ましくは耳掛け部４に着脱可能に取り付け可能であれば、どのような形態であっても良い。例えば、耳掛け部のほうにフック部を設けて眼鏡アクセサリを引掛けたり、フック以外による取付のほかに、アクセサリにクリップ等の把持手段を設け、その把持手段で耳掛け部４の周囲を又は一部分を把持して固定することで、眼鏡アクセサリ１０を取り付けるようにしてもよく、その他の取付方法としては、携帯ストラップでも見られるように、眼鏡アクセサリに輪状の紐体を設け、その紐体を眼鏡の孔３に通して中通ししして掛けたり、あるいは耳掛け部の周囲に掛けて中通しして絞る等によって、耳掛け部に固定させることで眼鏡アクセサリを取り付けるようにしてもよい。
【００２８】
眼鏡や耳掛け部を製作した後に加工して、眼鏡アクセサリを取り付けるための手段を眼鏡、特に耳掛け部に設けるようにしてもよい。例えば、成形後の完成品又は反完成品の耳掛け部に機械的加工等によって孔３を形成するようにしてもよい。
【００２９】
第２の形態の眼鏡アクセサリは、フック部の部分に小型の電池収納部とその電池収納部から電気的に接続可能な発光ダイオードとを取りつけるようにした構造である。電池収納部には、例えば小型のスイッチが設けられて発光ダイオードの点灯、消灯ができるようになっていることが好ましい。棒状の小型電池を収納するために、ねじ蓋で塞ぐようにした筒状の電池収納部の形状とし、ねじ蓋を締めつけたときにその収納部に入れられた小型電池の電極端子と電池収納部の接続端子との接点が閉じられ発光ダイオードが点灯し、ねじ蓋の締めつけを緩くしたときにその接点が開かれて発光ダイオードが消灯するようにしてもよい。
【００３０】
発光ダイオードの周囲には、装飾的効果を与えるように、任意の透明又は半透明な、あるいは光を反射するような宝飾品、例えばビーズや硝子、ダイアモンドといった石、を発光ダイオードを取り囲むように取り付けることで、全体の装飾品としての機能を妨げないばかりか、発光ダイオードの点灯によって、光が透過、分散してその特有の光を放射し、よりきらびやかな装飾効果を与えることができる。小型の電池、電池収納部、そして発光ダイオードはバランスを取るのに適度な重さを有し、錘としての機能もあり、眼鏡の重心のバランスと装飾的効果を効果的にもたらすことができるのである。
【００３１】
発光ダイオードを使用した別の第三の形態の眼鏡アクセサリは、眼鏡の部分、例えば耳掛け部に電池収納部を設け、耳掛け端部に電気接続端子を設ける一方、眼鏡アクセサリにも耳掛け端部の電気接続端子に対応して着脱可能な電気接続端子を設け、互いの電気接続端子が連結されたときに、眼鏡アクセサリに設けられた発光ダイオードが点灯する構成である。
【００３２】
一般に、耳掛け部は頭側部との接触や耳後方での保持性を高めるために幾分肉厚と成っていることから、その肉厚の内部に電池収納部を格納し、あるいはその肉厚部分そのものを電池収納部とすることで、効果的に耳掛け部の機能と、錘、そして眼鏡アクセサリへの電力供給の機能を達成することができるのである。
【００３３】
耳掛け部のより具体的な例として、耳掛け部は内部に空洞を有したゴム状の可可撓性部材からなっており、電池収納部がその空洞に格納可能なように耳掛け部の一部が開閉可能な挿入口を有している。電池収納部にはスイッチが設けられており、耳掛け部の連結端子と眼鏡アクセサリの連結端子とを連結して、電池収納部のスイッチをオンすると、電池収納部に収納された電池から供給される電気により発光ダイオードが点灯するようになっている。先の第２の例と同様に、発光ダイオードの周囲は装飾的効果が与えらており、全体の装飾品としての機能を妨げないようにしている。発光ダイオードの周囲には透明又は半透明のビーズや硝子、ダイアモンドといった石等が発光ダイオードを取り囲むように配置されているため、スイッチがオンして発光ダイオードが光るとその周囲の装飾品を光が透過、分散してその特有の光を放射するようになっている。
【００３４】
電池収納部にスイッチを設ける代わりに、耳掛け部と眼鏡アクセサリとの連結を２段連結機構とし、最初の連結状態では発光ダイオードへの電気的導通が図られて発光ダイオードの点灯を可能とし、次の連結状態では発光ダイオードへの電気的導通が絶たれて発光ダイオードの消灯を行うようにすることで、余分なスイッチを排除することができる。
【００３５】
尚、上記発明の実施の形態は例示であって、本発明の思想を逸脱しない範囲で多様な形態の眼鏡アクセサリ及び眼鏡に可変可能である。
【００３６】
【発明の効果】
以上のように、本発明により、イアリングによって生じる金属アレルギーを解消できるととともに、比較的重いアクセサリであっても利用できるためにイアリングよりもアクセサリの選択の幅が広がり、しかも紛失の危険性も少ないといった従来のイアリングの問題を大きく解決する新たなアクセサリを提供することができた。さらに、かかるアクセサリによって、眼鏡の軽量化にともなって生じやすい重心のバランスを補正するバランサーとしての役割をも兼ね備えることも可能となり、使用勝手の良い新たな眼鏡をも提供することができたのである。
【図面の簡単な説明】
【図１】本発明による第一の例による眼鏡１及び眼鏡アクセサリ１０の斜視図である。
【図２】耳掛け部４の部分的拡大図及び眼鏡アクセサリ１０の拡大図である。
【図３】眼鏡アクセサリ１０がついた眼鏡１を掛けた状態を示す。
【符号の説明】
１  眼鏡
２  つる
３  孔
４  耳掛け部
５  レンズ
１０  眼鏡アクセサリ
１１  フック部
１１ａ  輪
１１ｂ  線材
１１ｃ  近接部分
１１ｄ  先端部
１２  チェーン
１３  宝飾石
【図１】
2005037614.tif 000003
【図２】
2005037614.tif 000004
【図３】
2005037614.tif 000005